Podtech/llm-jp-corpus-v4-ja_patent huggingface dataset:
(57)【要約】【課題】  集魚用ブレードを漁具から着脱しようとするとき、着脱しやすいように、集魚用ブレードの一端に着脱装置を設けた、着脱装置つき集魚用ブレードを提供する。【解決手段】  集魚用、ブレード本体（１）の一端に着脱装置（２）を設けた、着脱装置つき集魚用ブレードを特徴とする。【選択図】図１
2008154569.tif 000002
【特許請求の範囲】
【請求項１】
集魚用ブレードの一端に着脱装置を設けた、着脱装置つき集魚用ブレード。
【発明の詳細な説明】
【技術分野】
【０００１】  この発明は、集魚用ブレードの一端に着脱装置を設けた、着脱装置つき集魚用ブレードに関するものである。
【背景技術】
【０００２】  従来、集魚用ブレードと漁具との接続は別部品で接続されていた。
【発明の開示】
【発明が解決しようとする課題】
【０００３】  これは次のような欠点があった。
従来、集魚用ブレードと漁具の接続にはスプリットリングが使われていることが多い。集魚用ブレードがスプリットリングで漁具と接続されている場合、集魚用ブレードを着脱しようとするときは、工具を使う必要がある。工具のない時はスプリットリングに爪をたてて隙間をあけ集魚用ブレードを着脱する方法もあるが、大変危険である。また集魚用ブレードと漁具の接続にヒートンやクレビスが使われている場合、着脱が困難である。
本発明は、以上のような欠点をなくすためになされたものである。
【課題を解決するための手段】
【０００４】  ブレード本体（１）の一端に着脱装置（２）を設ける。
本発明は、以上の構成よりなる着脱装置つき集魚用ブレードである。
【発明の効果】
【０００５】  着脱装置が集魚用ブレードと一体になっているので、漁具との着脱がしやすくなる。
【発明を実施するための最良の形態】
【０００６】  以下、本発明を実施するための最良の形態について説明する。
ブレード本体（１）の上部の一端に、着脱装置（２）を設ける。
着脱装置（２）の先端を着脱装置止め（３）にひっかけて、着脱装置（２）が開閉する。
本発明は、以上のような構造である。
これを使用するときは、ブレード本体（１）に設けられた着脱装置（２）の開閉を使って、集魚用ブレードを着脱すればよい。
他の着脱装置（２）の先端の止め方として、ブレード本体に着脱装置止め用の穴を空けた、着脱装置つき集魚用ブレード。
他、着脱装置（２）のみでブレード本体（１）と漁具を着脱できる、着脱装置つき集魚用ブレード。
【図面の簡単な説明】
【０００７】
【図１】本発明の斜面図である。
【符号の説明】
【０００８】  １  ブレード本体
２  着脱装置
３  着脱装置止め
【図１】
2008154569.tif 000003
(57)【要約】      （修正有）【課題】栄養価の高いニンニクの芽などを簡単に調理でき保存にも適した食材を提供する。【解決手段】醤油、みりん、酢を含有することを特徴とする合わせ調味料１に水切りした適度な長さに切ったニンニクの芽を漬け込む。【効果】ニンニクの芽は、栄養価が高く繊維質の多い食材との認識があったにもかかわらず、日常の食卓に並ぶことはほとんどなかったが、簡単にしかも美味しく調理することで、栄養価の高いニンニクの芽を簡単においしく食卓に提供できる。【選択図】図３
2008154568.tif 000002
【特許請求の範囲】
【請求項１】
少なくとも醤油、みりん、酢を含有することを特徴とする合わせ調味料１に水切りした適度な長さに切ったニンニクの芽２を漬け込むことを特徴とする食品の提供
【発明の詳細な説明】
【技術分野】
【０００１】本発明は、合わせ調味料に浸したニンニクの芽を提供することに関するものである。
【背景技術】
【０００２】従来、ニンニクの芽は、栄養価が高く繊維質の多い食材との認識があったにもかかわらず、日常の食卓に並ぶことはほとんどなかった。
【発明の開示】
【発明が解決しようとする課題】
【０００３】このように栄養価が高く、多くの繊維質を含む食材を食することは健康の面から最重要視されるようになったが栄養価が高く、多くの繊維質を含むニンニクの芽を簡単にしかも美味しく調理する方法はなかった。
本発明は、このような、栄養価の高いニンニクの芽を簡単においしく食卓に提供しようとするものである。
【課題を解決するための手段】
【０００４】この課題を解決するための請求項１の発明は、少なくとも醤油、みりん、酢を含有することを特徴とする合わせ調味料の中に、水切りした適度な長さに切ったニンニクの芽を浸したものを提供することである。
【発明の効果】
【０００５】本発明により、栄養価の高い、しかも繊維質多く含むニンニクの芽を簡単に美味しく食せられるようになり、健康維持にも貢献できる。また合わせ調味料の中に酢が含まれているので保存にも適している。この合わせ調味料に浸されたニンニクの芽は適度にその水分を吸収して軟らかくなり、全く新しい食感が口の中に広がる。そしてなによりも美味しい。
【発明を実施するための最良の方法】
【０００６】少なくとも醤油、みりん、酢からなる合わせ調味料が入った容器１の中に水切りした適度な長さに切ったニンニクの芽２を入れる。この時、この合わせ調味料は一煮焚きさせ、火を消した直後にニンニクの芽２を入れるのが最も良い。その後、自然に冷めるまでそのままの状態で放置させる。
【０００７】ニンニクの芽の食材は通常のものでよい。またニンニクの芽のかわりに加工されたメザシや、良く煎られた大豆などで代用してもよい。
【０００８】本発明は、工業的に量産することが可能であるため、産業上の利用可能性を有する。
【図面の簡単な説明】
【０００９】
【図１】少なくとも醤油、みりん、酢からなる合わせ調味料が入った容器の斜視図である。
【図２】水切りした適度な長さに切られたニンニクの芽の斜視図である。
【図３】一煮焚きさせた合わせ調味料１にニンニクの芽２を入れて、自然に冷めるまでそのままの状態にしている容器の斜視図である。
【図４】自然に冷めた１の容器の中に入れてあったニンニクの芽２を、お皿３に盛った状態の斜視図である。
【符号の説明】
【００１０】１    少なくとも醤油、みりん、酢からなる合わせ調味料
２    水切りした適度な長さに切ったニンニクの芽
３    お皿
４    お箸
【図１】
2008154568.tif 000003
【図２】
2008154568.tif 000004
【図３】
2008154568.tif 000005
【図４】
2008154568.tif 000006
(57)【要約】【課題】死者を墓の中の遺骨のＤＮＡで復活させる。【解決手段】死者を墓の中の遺骨のＤＮＡからヒトｉＰＳ細胞初期化３遺伝子Ｏｃｔ３／４、Ｓｏｘ２、Ｋｌｆ４を取り出し増殖させ遺骨ＤＮＡ再生肉体の体全体の細胞に行き渡り各細胞の初期化を若い細胞になるまで戻し記憶は頭蓋骨内側のＤＮＡかその少しの脳のＤＮＡがあれば記憶が初期化する過程で生前の全記憶を取り戻すヒトｉＰＳ細胞初期化３遺伝子利用死者復活製法で死者を復活させ不老不死にする。【選択図】なし【特許請求の範囲】
【請求項１】
（イ）ヒトｉＰＳ細胞技術応用体細胞を初期化するのに必要な３つの遺伝子のうちＯｃｔ３／４、Ｓｏｘ２で万能性維持とＫｌｆ４で体細胞が分化したことで得た情報を消しゴムのように消す働きをするので墓の中の死者の骨のＤＮＡからこれら３つの遺伝子を取り出して増殖させる。
（ロ）増殖したこれら３つの遺伝子を遺骨ＤＮＡからできた死者の再生肉体の体全体の細胞に行き渡るように壊れないようにして各細胞の初期化を若い細胞になるまで戻す。
（ハ）その増殖は止まらないので老化はなくなり若返るしレトロウイルス培養とガン遺伝子には紫外線Ｂ波かビタミンＤでガンになるのを防ぐ。
（ホ）墓の中の頭蓋骨内側のＤＮＡかその少しの脳のＤＮＡあれば上記のように初期化して生まれて死ぬまでの記憶までも時間とは逆に遡り生前の全記憶を取り戻す。
以上の如く論理で導かれるヒトｉＰＳ細胞初期化３遺伝子利用死者復活製法。
【発明の詳細な説明】
【技術分野】
【０００１】本発明は、ヒトｉＰＳ細胞初期化３遺伝子利用死者復活製法に関する。
【背景技術】
【０００２】  従来、ヒトｉＰＳ細胞初期化３遺伝子利用死者復活製法に関する技術はなかった。【０００３】
【非特許文献１】「読売新聞」２００８年１月２７日、１９頁。
【非特許文献２】「ニュートン」２００８年２月号、７０頁から７５頁。
【発明の開示】
【発明が解決しようとする課題】
【０００４】  従来、ヒトｉＰＳ細胞初期化３遺伝子利用死者復活製法に関する技術はなかったので最新技術よって実現させる。
【課題を解決するための手段】
【０００５】  ヒトｉＰＳ細胞初期化３遺伝子を取り出し増殖させ墓の中の遺骨ＤＮＡからの再生肉体の体全体の細胞に行き渡り老化した各細胞の初期化を若い細胞になるまで戻すためで脳の記憶は頭蓋骨内側のＤＮＡかその少しの脳のＤＮＡあれば記憶が初期化する過程で生前の全記憶を取り戻す。
【発明の効果】
【０００６】  死者復活製法と不老不死の肉体を保てる。
【発明を実施するための最良の形態】
【０００７】    以下、本発明の実施例について時系列的論理的に文章で説明する。先ず、ヒトｉＰＳ細胞初期化３遺伝子のうちＯｃｔ３／４、Ｓｏｘ２で万能性維持とＫｌｆ４で体細胞が分化したことで得た情報を消す働きのものを墓の中の死者の遺骨ＤＮＡからこれら３遺伝子を取り出して増殖させる。増殖したこれらの３遺伝子を壊れないようにして遺骨ＤＮＡからできた死者の再生肉体老人の体全体の細胞に行き渡り老化した各細胞の初期化を若い細胞になるまで戻す。その増殖は止まらないので老化はなくなり若返るしレトロウイルス培養とガン遺伝子には紫外線Ｂ波かビタミンＤでガンになるのを防ぐ。墓の中の頭蓋骨内側のＤＮＡかその少しの脳のＤＮＡあれば上記のように初期化して生まれて死ぬまでの記憶までも時間とは逆に遡り生前の全記憶を取り戻す。
以上の如く論理で導かれるヒトｉＰＳ細胞初期化３遺伝子利用死者復活製法。
【実施例】
【０００８】    上記の如く実施される。
【産業上の利用可能性】
【０００９】    ヒトｉＰＳ細胞初期化３遺伝子利用死者復活製法技術も大きく進化を遂げた人類史で亡くなった偉人や親しい人と再会し同時に不老不死で需要の産業上の利用可能性は高いと解される。
(57)【要約】【課題】本発明は、洗面カウンターと収納キャビネット間の上下の間隔（空間）を施工現場の要望に合致した大きさの収納空間にすることをその課題とするものである。【解決手段】洗面ボウル２を有する洗面カウンター１をブラケット５で壁面６に固定し、背面部に排水管配置部１１を形成し天面部を収納載置面１２とした収納キャビネット９を洗面カウンター１下方に収納空間１３を介して床面１６に設置し、収納キャビネット９の排水管配置部１１に洗面ボウル２の排水管７、給水管８等を配置してなる洗面化粧台である。【選択図】図３
2008154792.tif 000002
【特許請求の範囲】
【請求項１】
洗面ボウルを有する洗面カウンターをブラケットで壁面に固定し、背面部に排水管配置部を形成し天面部を収納載置面とした収納キャビネットを洗面カウンター下方に収納空間を介して床面に設置し、収納キャビネットの排水管配置部に洗面ボウルの排水管を配置してなる洗面化粧台。
【発明の詳細な説明】
【技術分野】
【０００１】
本発明は、洗面化粧台に関するもので、詳しく述べれば、洗面カウンターを壁面に固定し、洗面カウンターと別個に形成した収納キャビネットを洗面カウンターの洗面ボウル下方の床面に設置し、収納キャビネットと洗面カウンター間の空間を収納空間としてなる洗面化粧台である。
【背景技術】
【０００２】
従来から、特許文献１に示される洗面化粧台は知られている。この洗面化粧台はその明細書中の〔００３０〕の記載「洗面器カウンター１０１とキャビネット１０６は左右の側板１０８上縁部に設けたＬ字金具によって結合される。」より明らかなように洗面器カウンターとキャビネットが一体に結合されているものである。この従来の洗面化粧台は洗面器カウンターとキャビネットが一体に結合されているために洗面器カウンター底面とキャビネット天面との間の収納空間が一定の大きさになり、施工現場でのより大きな収納空間等の要望に充分応じていない場合があった。
【特許文献１】特開２００１―３４６７０３号公報  （図１）
【発明の開示】
【発明が解決しようとする課題】
【０００３】
本発明は、洗面化粧台に関するもので、洗面カウンターと収納キャビネットを別個に形成、設置し、洗面カウンターと収納キャビネット間の上下の間隔（空間）を施工現場に応じて選択することができるようにすることをその課題とし、洗面カウンターと収納キャビネット間の上下の間隔（空間）を施工現場の要望に合致した収納空間とせんとするものである。
【課題を解決するための手段】
【０００４】
上記課題を解決するために、本発明の請求項１にかかる洗面化粧台においては、洗面ボウルを有する洗面カウンターをブラケットで壁面に固定し、背面部に排水管配置部を形成し天面部を収納載置面とした収納キャビネットを洗面カウンター下方に収納空間を介して床面に設置し、収納キャビネットの排水管配置部に洗面ボウルの排水管を配置してなるものである。
【発明の効果】
【０００５】
請求項１に記載の洗面化粧台は、洗面ボウルを有する洗面カウンターと背面部に排水管配置部を形成し天面部を収納載置面とした収納キャビネットを別個に設置し、洗面カウンター下面と収納キャビネット天面部の収納載置面との間に形成される収納空間の大きさを選択自在にし、施工現場での要望に対応できるようにしたものである。
【発明を実施するための最良の形態】
【０００６】
以下、本発明の洗面化粧台の実施形態について図面を参照して詳細に説明する。図１は本発明の洗面化粧台の平面図、図２は図１に示す洗面化粧台の正面図、図３は図１に示す洗面化粧台を設置した状態の側面図、図４は収納キャビネットの斜視図である。図１、図２、図３において、１は洗面カウンター、２は洗面ボウル、３はカラン、４は排水口である。
【０００７】
洗面カウンター１は陶器、合成樹脂等で形成されるもので、洗面ボウル２、カラン３、排水口４を有している。洗面カウンター１はブラケット５により壁面６に固定される。７は排水管であり排水口４に接続され、８は給水管でカラン３に接続されている。
【０００８】
９は収納キャビネットで図４に示す如く、前面に扉板１０、背面に排水管配置部１１、天面部に収納載置面１２を形成してなるものである。扉板１０は開閉して収納キャビネット９内を利用するものであり、排水管配置部１１は排水管７、給水管８を収納配置するものであり、収納載置面１２は洗面カウンター１底部との間で収納空間１３を形成するものである。収納キャビネット９の背面に形成される排水管配置部１１は具体的には収納キャビネット９の両側板１４、１４を背面方向に延長し背板１５との間で形成される凹部により形成されるものである。この収納キャビネット９は洗面カウンター１とは別個に床面１６に設置される。
【０００９】
このようにして構成される洗面化粧台は洗面カウンター１と収納キャビネット９は別個であり、結合されないために収納空間１３はその施工現場で必要とされる大きさにすることができる。即ち、洗面カウンター１はブラケット５により壁面６に固定されるために固定位置、高さを収納キャビネット９に関係なく自由に選択することができる。
【００１０】
また、収納キャビネット９は洗面カウンター１と結合される必要がないために収納キャビネット９の天面部の収納載置面１２と洗面カウンター１底部との間で形成される収納空間１３は必要とされる大きさを選択することができる。この収納空間１３は前方だけに限らず側方からも収納物の出し入れができるために使用が便利なものである。特に洗面化粧台では一人が使用中に他の人が化粧品を取り出したりすることがあり、この場合、前方だけに限らず側方からも収納物の出し入れができることは大変便利なものである。
【００１１】
また、収納キャビネット９は背面に排水管配置部１１を形成しているために排水管７や給水管８は外部から見え難いもので外観上好ましいものである。さらに排水管配置部１１は収納キャビネット９の両側板１４、１４を背面方向に延長し背板１５との間で形成される凹部により形成されるものであるために収納キャビネット９の収納部内に排水管７や給水管８が入らず、結露等による収納部内への湿気、水分等の侵入が防止されるものである。
【図面の簡単な説明】
【００１２】
【図１】本発明にかかる洗面化粧台の平面図。
【図２】図１に示す実施例の正面図。
【図３】図１に示す実施例の設置した状態を示す側面図。
【図４】図１に示す実施例の収納キャビネットの斜視図。
【符号の説明】
【００１３】
１            洗面カウンター
２            洗面ボウル
３            カラン
４            排水口
５            ブラケット
６            壁面
７            排水管
８            給水管
９            収納キャビネット
１０          扉板
１１          排水管配置部
１２          収納載置面
１３          収納空間
１４          側板
１５          背板
１６          床面
【図１】
2008154792.tif 000003
【図２】
2008154792.tif 000004
【図３】
2008154792.tif 000005
【図４】
2008154792.tif 000006
(57)【要約】【課題】スラスト磁石を用いることなく所定のスラスト力を確保すると共に、ロータフレーム内の温度上昇を抑制するため、安価でモータ特性の安定したアウターロータ型モータを提供する。【解決手段】ロータフレーム２の天面に貫通孔１２を設け、その貫通孔１２近傍に排気あるいは吸気用の羽根３を設けるとともに、ロータフレーム２の外周を基盤１に対して所定の空隙４をもってモータの半径方向に延伸させることによって、スラスト力を発生させる。【選択図】図１
2008154369.tif 000002
【特許請求の範囲】
【請求項１】
基盤と、基盤に配設されたスリーブと、コイルが巻回されスリーブに配設されたステータと、シャフトと、シャフトを回転自在に支持しスリーブ内に配設された軸受けと、シャフトに取り付けられたカップ状のロータフレームと、ステータと対向するようにロータフレームの内側に配設された磁石からなるアウターロータ型モータにおいて、ロータフレームの天面に貫通孔を設け、その貫通孔近傍に排気あるいは吸気用の羽根を設けるとともに、ロータフレームの外周を基盤に対して所定の空隙をもってモータの半径方向に延伸させたことを特徴とするアウターロータ型モータ。
【請求項２】
請求項１記載のアウターロータ型モータを搭載したディスク駆動装置。
【発明の詳細な説明】
【技術分野】
【０００１】
本発明は、ステータが内側でロータが外側のアウターロータ型のモータに関する。
【背景技術】
【０００２】
従来のアウターロータ型ロータの構成を図４に示す。従来、ロータの抜け止めや回転時の過浮上の抑制等を目的として、軸方向の力（スラスト力）を得るために界磁用磁石とは別にスラスト磁石を用いることが一般的に実施されている。すなわち、スラスト磁石１１を設け、スラスト磁石１１とロータフレーム２の間の磁気的な吸引力を利用して軸方向の力（スラスト力）を得ていた。（例えば、特許文献１参照。）
【特許文献１】特開２００１−２５２０８号公報
【発明の開示】
【発明が解決しようとする課題】
【０００３】
解決しようとする問題点は、ロータの抜け止めや回転時の過浮上の抑制等を目的として、スラスト磁石を配設しており、これがモータのコストを増加させる一因となっていた。また、ロータフレームがカップ上であることから、巻線の温度上昇を抑制することが困難であり、抵抗の増加等による損失の増加が駆動効率の低下を招いていた。
【０００４】
本発明は上記従来の課題を解決するものであり、スラスト磁石を用いることなく所定のスラスト力を確保すると共に、ロータフレーム内の温度上昇を抑制するため、安価でモータ特性の安定したアウターロータ型モータを提供することを目的とする。
【課題を解決するための手段】
【０００５】
上記課題を解決するために本発明は、基盤と、基盤に配設されたスリーブと、コイルが巻回されスリーブに配設されたステータと、シャフトと、シャフトを回転自在に支持しスリーブ内に配設された軸受けと、シャフトに取り付けられたカップ状のロータフレームと、ステータと対向するようにロータフレームの内側に配設された磁石からなるアウターロータ型モータにおいて、ロータフレームの天面に貫通孔を設け、その貫通孔近傍に排気あるいは吸気用の羽根を設けるとともに、ロータフレームの外周を基盤に対して所定の空隙をもってモータの半径方向に延伸させたことを特徴とするアウターロータ型モータである。
【発明の効果】
【０００６】
モータ本発明のアウターロータ型モータによれば、スラスト磁石を用いることなく所定のスラスト力を確保すると共に、ロータフレーム内の温度上昇を抑制するため、安価でモータ特性の安定したアウターロータ型モータを提供できる。
【発明を実施するための最良の形態】
【０００７】
基盤と、基盤に配設されたスリーブと、コイルが巻回されスリーブに配設されたステータと、シャフトと、シャフトを回転自在に支持しスリーブ内に配設された軸受けと、シャフトに取り付けられたカップ状のロータフレームと、ステータと対向するようにロータフレームの内側に配設された磁石からなるアウターロータ型モータにおいて、ロータフレームの天面に貫通孔を設け、その貫通孔近傍に排気あるいは吸気用の羽根を設けるとともに、ロータフレームの外周を基盤に対して所定の空隙をもってモータの半径方向に延伸させる。
【実施例１】
【０００８】
図１は本実施によるアウターロータ型モータの構造断面図であり、図２は、ロータフレームの鳥瞰図である。図１において、基盤１に配設されたスリーブ９に、シャフト１０を回転自在に支持する軸受け８が配設されるとともに、コイル７が巻回されたステータ６が配設されている。シャフト１０にはカップ状のロータフレーム２が取り付けられ、その内周には、ステータ６と対向するように磁石５が配設されている。ここで、図２に示すようにロータフレーム２の天面に貫通孔１２を設け、その貫通孔１２近傍に排気あるいは吸気用の羽根３を設けるとともに、ロータフレーム２の外周を基盤１に対して所定の空隙４をもってモータの半径方向に延伸させる。ロータが回転するとロータフレーム２の羽根３の効果により、図３に示されるようにロータフレーム２内の空気が排気されるとともに、空隙４を通り空気が進入する。このとき、空隙４は所定の空隙となっていることから、空気の流れはこの空隙４で速度が増加しベルヌーイの法則により空隙４における圧力が低下し、ロータフレーム２を基盤１に吸引するスラスト力が発生する。すなわち、スラスト磁石が不要となる。さらに、ロータフレーム２内の空気が流れることにより、コイル７等の発熱体の温度上昇を抑制するため、損失の増加を抑制することができる。
【０００９】
なお、上記では羽根３により排気としているが吸気としてもよい。また、羽根３は図２ではロータフレーム２と一体型となっているが、別部材としても良い。
【産業上の利用可能性】
【００１０】
本発明のアウターロータ型モータは、安価でモータ特性の安定化に最適であり、温度上昇を嫌う用途、低コストモータを必要とする用途などにも有用である。
【図面の簡単な説明】
【００１１】
【図１】本発明におけるアウターロータ型モータの構造断面図
【図２】本発明におけるロータフレームの鳥瞰図
【図３】本発明における空気の流れとスラスト力の説明図
【図４】従来のアウターロータ型モータの構造断面図
【符号の説明】
【００１２】
１  基盤
２  ロータフレーム
３  羽根
４  空隙
５  磁石
６  ステータ
７  コイル
８  軸受け
９  スリーブ
１０シャフト
１１スラスト磁石
１２貫通孔
【図１】
2008154369.tif 000003
【図２】
2008154369.tif 000004
【図３】
2008154369.tif 000005
【図４】
2008154369.tif 000006
(57)【要約】【課題】        断水時やアウトドア用の組み立て式簡易便器等は、複数人が使用し、排泄物がある程度溜まってから廃棄処分するため、他人の臭気や衛生上多々気になるところがある。また持ち運びにくく、安易に組み立てることができない点や、さらに排泄後の後始末の問題を解決しようとするものである。【解決手段】        本発明は、段ボール等の素材にて型抜きしたもので折りたたみ式となっており、開封前のサイズもコンパクトで持ち運びやすい。組み立ても本体を広げ袋のフックを本体の差込口に差し込むだけといった非常に簡易なものである。また専用の紙袋等に入れることでさらに衛生的になる。廃棄時も袋ごと可燃ゴミに処理することができる。【選択図】図４
2008154807.tif 000002
【特許請求の範囲】
【請求項１】
段ボール等の素材にて型抜きした折りたたみ可能な便器本体と耐水性のある袋状のものを接着した折りたたみ式の簡易便器です。
【請求項２】
付属品（拭き取り紙、尿吸収シート、消臭剤、専用のゴミ袋）等を可燃性
の素材にすることで、分別処理も可燃物のゴミとして廃棄できる。
【発明の詳細な説明】
【技術分野】
【０００１】
本発明は、段ボール等の素材にて型抜きした便器本体に耐水性のある袋状のものを合わせ、さらに拭き取り紙、尿吸収シート、消臭剤、ゴミ袋の付属品を一式備えた便器に関するものである。
【背景技術】
【０００２】
従来からあった断水時やアウトドア用の組み立て式簡易便器等は、複数人が使用するため、本体自体の大きさや強度が求められ、組み立てが容易でないものもある。また排泄物がある程度溜まってから廃棄するため、臭気問題や処理の方法など衛生上不備がある。さらに用を足した後に必要な拭き取り紙等を別に用意する必要があり、緊急時や災害時等は特に用意を忘れがちになると思われる。
【発明の開示】
【発明が解決しようとする課題】
【０００３】
断水時やアウトドア用の組み立て式簡易便器等は、複数人が使用し、排泄物がある程度溜まってから廃棄するため、他人の臭気や衛生上にも多々気になるところがある。また持ち運びにくく、安易に組み立てることができない点や、さらに排泄後の後始末の問題を解決しようとするものである。
【課題を解決するための手段】
【０００４】
本発明は、段ボール等の素材にて型抜きした折りたたみ可能な便器本体と耐水性のある袋状のものを合わせた折りたたみ式簡易便器です。また、開封前はコンパクトで持ち運びに軽く、組み立てやすく、排泄後は蓋をして専用のゴミ袋や消臭剤を入れることで臭気の問題を解決し、本体、付属品（拭き取り紙、尿吸収シート、消臭剤、専用のゴミ袋）等を可燃性の素材にすることで可燃物のゴミとして廃棄できる。
【発明の効果】
【０００５】
本発明は、折りたたんだ段ボール等の素材を本体とするため、持ち運びや収納に便利で必要な付属品（拭き取り紙、尿吸収シート、消臭剤、専用のゴミ袋）が一式同梱包されている。組み立ても簡単で、各自が使用しその都度廃棄することができるので、とても便利で衛生的である。特に災害時や断水時等で使用できなくなった既存の洋式・和式または介護用の便器に設置して普段通りに使用でき、またアウトドアでは地面において和式スタイルで使用できる。本体を複数個圧縮梱包して常備しておけば緊急用としてとても役に立つ。
【発明を実施するための最良の形態】
【０００６】
開封し、付属品（拭き取り紙、尿吸収シート、消臭剤、専用のゴミ袋）を取り分ける。本体を広げ袋のフックを本体の差込口に差し込む。さらに袋の中に尿吸収シートを入れる。状況に応じて地面に置いたり、既存の便器や箱状のものに設置して用を足す。排泄後は付属の拭き取り紙で拭き取り、消臭剤を入れて、フックをはずし折りたたむ。それを専用のゴミ袋に入れて廃棄する。
【実施例】
【０００７】
以下、添付図面に従って一実施例を説明する。１は耐久性のある段ボール等の素材にて型抜きした折りたたみ式の便器本体、２は耐水機能のある袋で１と２を接着したのが折りたたみ式簡易便器である。また５の拭き取り紙、６の尿吸収シート、７の消臭剤、８の専用ゴミ袋を付属品として同梱包したのが本発明の折りたたみ式簡易便器です。
【０００８】
１の本体を広げ、２の袋のフック４を１の本体の３の差込口に差し込み固定させる。
付属品６の尿吸収シートを２の袋の中へ入れる。そして状況に応じ用を足す。９の既存の洋・和式の便器等に設置したり、地面に据えて用を足す。
【０００９】
排泄後は７の消臭剤を入れ３のフックをはずし、１の本体を閉じる。さらに８の専
用ゴミ袋に入れて廃棄する。
【図面の簡単な説明】
【００１０】
【図１】本考案の成り立ちと付属品の斜視図である。
【図２】本考案の開封前の斜視図である。
【図３】本考案の折りたたみ方を示す斜視図である。
【図４】本考案の実施例を示す斜視図である。
【図５】本考案の実施の応用例を示す斜視図である。
【符号の説明】
【００１１】
１    折りたたみ式便器本体
２    袋
３    フック差込口
４    フック
５    拭き取り紙
６    尿吸収シート
７    消臭剤
８    専用のゴミ袋
９    既存の洋・和便器等
【図１】
2008154807.tif 000003
【図２】
2008154807.tif 000004
【図３】
2008154807.tif 000005
【図４】
2008154807.tif 000006
【図５】
2008154807.tif 000007
(57)【要約】      （修正有）【課題】鍋フライパンを安定固定で移動をさすＨ型握り手を提供する。【解決手段】鍋の両側面の上部分に握り手が挿入出来る窓を付けその縁取りに耐熱材で囲んでいるＨ型枠をした握り手の先端部分面は二分していて左右の先端部分の板状が横長方形になっている、それを窓に挿入しＨ型の内部にある縦型主軸を握り手の握り部分に手を入れることにより縦軸が前に移動し先端面に付いている平三角形状体が横長方形板を左右に広げ窓を塞ぎ鍋固定する、広がった隙間には押し上げた軸の先端面の三角型がＨ型先端部分面の横形状に付いているバネを巻いた案内棒に入りそれを塞ぐ、鍋と握り手の固定が揺れて不安定になるのを防ぐために鍋の外側面にそれを押さえる弁が有るそれにより一層硬く固定する、又逆流防止のボタンが自動的に作動する。使用後はボタンを開錠し握り手から手を離す事によりはずすことが出来鍋を洗浄するのに邪魔にならず、積み重ねも出来場所をとらない。【選択図】図１
2008154985.tif 000002
【特許請求の範囲】
【請求項１】
料理に使用する両握り手または片手握り手を持つ鍋フライパン等に必要な位置に必要な大きさの孔を設け窓枠の材質は耐熱材を使用、取り外しが意図簡単に出来るＨ型握り表面にはストップ開錠をする突起物の上下をする孔を付け、本体の必要な位置の側面に左右に伸縮するための蝶番を設けている、内側面に弁と結合し移動をさすバネの付いた案内棒を内蔵し、本体の外側面には鍋、フライパン等の外孔枠面を押さえる弁の移動をさすＵ溝レールを付けている本体先端部分面が左右に伸縮できる弁を持ち、弁と弁の側面に、バネを巻いた案内棒を付け、一方の弁に案内棒が伸縮内蔵できる孔を持つ、Ｈ型に内蔵しているＹ縦軸棒の末端には手の出し入れが出来る握り手孔と結合し、移動をストップ、開錠機構の凸を付け、鍋フライパン等の内側面の窓枠周辺部分面を押さえる弁の上下をさす平三角板の上部分面にＵ溝を付けている平三角板を付けている、それが孔枠を押さえている弁と弁を結んでいる案内棒で出来た隙間を塞いでいる、取り外し簡単の握りハンドルを差し込み安定固定し鍋フライパン等を移動する。握り手を外し鍋、フライパンの洗浄掃除を容易にきれにたやすく出来る、置き場所に迷うことなく積み重ねが楽に出来る
【発明の詳細な説明】
【技術分野】
【０００１】この発明は鍋フライパン等に製造過程で握り手をつけている為に洗浄掃除が隅々まで出来ないし重ねることが出来ないので置く場所を取るので使用不便である。本体に握り手を挿入できる孔枠を設けて、握り手が、Ｈ型でＹ縦棒を内臓それが前後することによりＨ握り手の両サイドの弁が左右に開閉し孔枠に挿入で、鍋フライパンを安定固定し移動が可能で握り手も取り外しが出来る
【背景技術】
【０００２】握り手付鍋、フライパンの洗浄掃除が隅々まで出来ないし握り手が邪魔になり積み重ねが出来ないので置き場所とるなぞの不便がある
【発明の開示】
【発明が解決しようとする課題】
【０００３】握り手付き鍋フライパンの洗浄掃除が隅々まで綺麗に出来ない、握り手が邪魔になり積み重ねが出来ないので置き場所を取るなぞの不便さがある
【課題を解決するための手段】
【０００４】鍋、フライパンに付いている両又は片手握り手の部分面に孔を作りその縁取りに耐熱材を使用枠作りそこに握り手Ｈ型を挿入し縦軸棒の平三角板上へ移動しＨ型の両先端棒を広げて窓枠を閉じ、Ｈ型先端部部面に横形状のバネを巻いた案内棒平三角体のＵ溝が穴の隙間を封じ又外縁面も押さえる弁を持ちそれが上へ移動し安定固定をする。これにより従来の握り手の役をし、握り手Ｈ型を外すことが出来鍋フライパンの洗浄掃除が隅々まで出来積み重ねが出来るので置く場所も取らない。
【発明の効果】
【０００５】孔枠付鍋フライパンに簡単に握り手を固定することができ使用することにより洗浄掃除が隅々まで綺麗に洗浄出来、積み重ねも出来るので置く場所を余り取らない。
【発明を実地するための最良の形態】
【０００６】鍋フライパン（１７）の本体に必要な高さの位置に握り手（１５）が挿入できる孔（１６）を設けそれに断熱材使用の縁枠を付ける。又鍋フライパン等の外部面の上縁側面に必要な長さと大きさの底が内部上面と結合した溝（１９）を作りそこに蓋を立てることが出来るようにする。Ｈ型握り手の内部に縦軸棒（８）をもちその必要な位置にストップ、開錠が出来る突起部分面を付け、縦棒にバネを巻きその先端部分天面にＵ字溝（３）を持った平三角体形状の板（４）を付けている、Ｈ型握り手の必要な位置に左右に伸縮さすための蝶番付け、Ｈ型本体先端部分面に左右に伸縮する長方形上弁があり鍋フライパンの孔枠に挿入が出来その弁が窓枠を押え固定する。Ｈ型先端面に付いている長方形の弁と一方の長方形の弁の間には横状に伸縮するバネを巻いた案内棒がありそれにより生じる隙間をＵ型溝がそれを塞ぐ、一方の孔枠を押さえる弁（２）、その部分面に横状にバネを巻いた案内棒（１）が前後に移動する孔をもち。Ｈ型内側面にバネをまいた案内棒（１４）の先端部分面に孔枠の外縁面を押さえる（７）長方形上の弁（５）があるその上下移動をする為のＨ型外側面に溝を設けている、Ｈ型ケース表面の必要な位置に孔を設けストップ弁（１０）の上下開閉をさす、ケースの裏側の内面に板状バネ（１１）を持つ。これを使用することにより鍋フライパン等の洗浄掃除が隅々まで出来、重ね置きが出来置く場所が少なくてすむので便利である
【図面の簡単な説明】
【０００７】
【図１】本発明の斜視図である
【符号の説明】
【０００８】１    横軸の案内棒にバネを巻き右の鍋押さえ弁の中へ入り右弁を移動さす
２    鍋の窓内側面から窓を挟んで固定する弁で縦主軸棒の上下運動により左右に開く
３    （１）の案内棒を挟みこむＵ形溝
４    鍋窓の内面を固定する弁を左右に稼動さす縦棒の先端部分形状
５    鍋の外面を押さえる弁
６    鍋の外面を押さえる弁を上下さす案内棒でバネを巻いている
７    外側面から鍋を押さえる弁を前後さす案内棒に巻いているバネ
８    縦主軸棒
９    外側面から鍋を押さえている弁を前後さす案内棒を固定している板
１０  縦主軸棒を前後さす押さえボタンと同時に咄嗟前後稼動を防止するボタンを兼ねる
１１  釦を穴に差し込むバネ弁で上下する
１２  縦主軸棒のバネを固定している板
１３  縦主軸棒を前後さすバネ
１４  鍋の外面を押さえる弁が移動する溝
１５  握り手
１６  鍋の窓の形状
１７  鍋本体
１８  鍋の内面を抑える弁縦軸の開閉を容易にする蝶番のネジ
１９  鍋の外の上部分面の縁から外向かってある大きさの横幅と厚さの溝を設けて鍋蓋を溝に入れ保持をする
【図１】
2008154985.tif 000003
(57)【要約】【課題】位牌における従来の色（黒、金、赤）以外の位牌を提供する。【解決手段】仏具用の位牌に従来使っている色以外の位牌を作る事により位牌にも特徴を持たせる。【選択図】図１
2008154983.tif 000002
【特許請求の範囲】
【請求項１】
仏具用の位牌に従来使っている色以外の位牌を作る事により位牌にも特徴を持たせる
【請求項２】
前記位牌の形状は従来の位牌の形状以外にも適用するものとする
【発明の詳細な説明】
【技術分野】
【０００１】本発明は、位牌に着色する場合などにおいて使用される一般的な黒色、金色、赤色以外の色を着色するものである。
【背景技術】
【０００２】従来より、先祖供養のための仏具として位牌が多用されているが、位牌の色は黒色、金色、赤色に限定されており、本発明にて示すように着色した位牌は見当たらない。
【発明の開示】
【発明が解決しようとする課題】
【０００３】仏具で用いている位牌の色は、供養する親族または、本人が選択できることが好ましい。
位牌に様々な色が着色できれば、位牌の付加価値を増大できる。しかしながら、従来の位牌においては、その色は、黒色あるいは金色または赤色である。
これは、仏具の固定概念において黒色、金色、赤色以外を使っていなかったからである。
何れにしろ、従来の位牌においては、その位牌に黒色あるいは、金色または赤色以外の色は着色していない。。本発明の目的は、前記に鑑み、位牌に黒色あるいは金色または赤色以外の着色をすることのできる位牌を提供することにある。
【課題を解決するための手段】
【０００４】上記課題を解決するために本発明は、仏具用の位牌に従来使っている色以外の位牌を作る事により位牌にも特徴を持たせる。
【発明の効果】
【０００５】本発明によれば、カラー位牌を用いたので、より容易に位牌を好みの色に着色でき、有用なる物品を提供することができる。
【発明を実施するための最良の形態】
【０００６】以下、本発明の実施例について説明する。位牌は幾つかのパーツに分かれていて各部の名称は図に記したとおりである。
各パーツに塗料を塗布し組み立てる。
【図面の簡単な説明】
【０００７】本発明の一実施例を示す着色部の名称
【図１】位牌の正面図
【図２】位牌の側面図
【符号の説明】
【０００８】１  札板ふち
２  札板
３  蓮座
４  二の板
５  上花
６  なす
７  返り花
８  カマチ座
【図１】
2008154983.tif 000003
【図２】
2008154983.tif 000004
(57)【要約】【課題】一本のステントデリバリーシステム（ＳＤＳ）で、複数病変や非常に長い病変に対して、複数本のステントを一度に留置して、治療時間を短縮し、患者の苦痛を軽減すること。【解決手段】本発明のステントデリバリーシステム（ＳＤＳ）を使用することにより一回の病変アプローチで、複数病変や、非常に長い病変に対しても、複数個のステントを一度に留置可能になり、治療時間が短縮でき、患者の苦痛を軽減できる。【選択図】図２
2008154981.tif 000002
【特許請求の範囲】
【請求項１】
ステントデリバリーシステム（ＳＤＳ）の同軸上の同じ構造内に複数本のステントを装備したことを特徴とするステントデリバリーシステムの提供。
【発明の詳細な説明】
【技術分野】
【０００１】本発明は、ステントデリバリーシステム（以下ＳＤＳと言う）に複数本のステントをＳＤＳの同軸上の同じ構造内に装備させることに関するものである。
【背景技術】
【０００２】従来、医療分野の中で、ＳＤＳを使用してステントをさまざまな病変、特に血管狭窄病変に留置されていた。
【発明の開示】
【発明が解決しようとする課題】
【０００３】しかし、従来のようなＳＤＳでは一本のＳＤＳに対して、一本のステントしか装備されておらず、複数病変や、非常に長い病変に対しては、さらに新たなＳＤＳを用いてステントを留置せねばならず、そのために治療時間が長くなることがあり、患者にとって非常に苦痛を伴うものであった。
本発明は、以上のような欠点をなくすためになされたものである。
【課題を解決するための手段】
【０００４】ステント（１）が装備されているＳＤＳに、同軸上の同じ構造内にステント（２）やステント（３）を装備する。
【発明の効果】
【０００５】本発明により、一回のＳＤＳによる病変アプローチで複数病変や非常に長い病変にもステントを同時に留置できることになり、治療時間の大幅な短縮につながり、患者の苦痛を大いに和らげることになる。
【発明を実施するための最良の方法】
【０００６】以下、本発明を実施するための最良の形態について説明する。
［図１］は、一本のＳＤＳに対して一本のステント（１）が装備されている従来のＳＤＳの斜視図である。（４）はマーカーであり、Ｘ線透視下においても視認性に優れている。このマーカーは、ステントの長さを示す。
［図２］に示すように同じＳＤＳ上に適当な間隔をあけて同軸上の同じ構造内にステントを複数本、装備しているＳＤＳの斜視図である。複数のステントが同軸上の同じ構造内にあるため、ステント（２）、（３）の留置方法もステント（１）を病変部に留置するときと同様、同じ方法になり、特別な方法はいらない。また、ステントの長さと直径は、病変の状態を想定してあらかじめ適当な長さと直径を選択し、ＳＤＳに装備しておく。
また、（４）に示されているマーカーは、［図２］などに示された箇所以外にも、必要に応じてあらかじめ必要な箇所に装備できるようにしておいても良い。
なお本発明は、自己拡張型ステントや、バルーン拡張型ステントのＳＤＳにおいても応用できる。
【産業上の利用可能性】本発明に係るＳＤＳは、工業的に量産することが可能であるため、産業上の利用可能性を有する。
【図面の簡単な説明】
【０００７】
【図１】は、１本のＳＤＳに対して１本のステント（１）が装備されている従来のＳＤＳの斜視図である。（４）は、マーカーである。
【図２】は、［図１］のＳＤＳの同軸上の同じ構造内に適当な間隔をあけてステント（２）、（３）が装備されていることを示す斜視図である。（４）は、マーカーである。
【符号の説明】
【０００８】（１）  ステント
（２）  ステント
（３）  ステント
（４）  マーカー
【図１】
2008154981.tif 000003
【図２】
2008154981.tif 000004
(57)【要約】      （修正有）【課題】ホルダーでロールペーパーを供給すると、ロールーペーパーセット時、ペーパーの出る方向を確かめる必要があり、ペーパーの先端がみつけにくい、ペーパーの先端がつかみにくい、思い道りの長さにカットできない、折り畳む時もめんどう、ホルダー内のペーパー残量がわかりずらい、片手では使えない、力の弱い老人には思う様に使えない等使いにくいので使いやすいトイレットペーパの提供。【解決手段】使い易い大きさのトイレットペーパーを複数枚重ね、高熱や接着剤を使わずライン状や点ずけ・歯車等で圧力を加えてまとめたトイレットペーパー。ロールペーパー又は帯状のペーパー・大判のペーパーを複数枚重ね、ライン状や点ずけ・歯車等で圧力を加えてまとめたトイレットペーパーを使い易い寸法でカット又は、一部分つながった帯状に縦つづり・横つづりにカットして、使用時軽い力で切り離して使うトイレットペーパー。【選択図】図１
2008154984.tif 000002
【特許請求の範囲】
【請求項１】
トイレで使易い寸法のロールペーパー又は帯状の物を２枚から３０枚位の複数枚重ねた物をバラバラにならない様に、縦・横・ななめ・波形・山形のライン状、又は模様・イラスト等・数ヶ所の点の様な物・歯車等で１つにまとまる様に強い圧力を加えてまとめたトイレットペーパーを、使い易い寸法で１つ１つカットしたトイレットペーパー。
【請求項２】
請求項１のトイレットペーパーを１つ１つカットしないで、一部分をつなげておいて使用時に軽い力で切り離して使うトイレットペーパー。
【請求項３】
大判のトイレットペーパーを２枚から３０枚位の複数枚重ねた物をバラバラにならない様に、縦・横・ななめ・波形・山形のライン状、又は模様・イラスト等・数ヶ所の点の様な物・歯車等で１つにまとまる様に強い圧力を加えてまとめたトイレットペーパーを、使い易い寸法で１つ１つカットしたトイレットペーパー。
【請求項４】
請求項３のトイレットペーパーを１つ１つカットしないで、一部分つなげて帯状に縦つづり横綴りにしてカットして、使用時に軽い力で切り離して使うトイレットペーパー。
【請求項５】
使い易い寸法で作ったトイレットペーパー又は、カットしてあるトイレットペーパー１枚１枚を、２枚から３０枚の複数枚重ねた物をバラバラ二ならない様に、縦・横・斜め・波形・山形のライン状、又は模様・イラスト等・数ヶ所の点の様な物・歯車等で１つにまとまる様に強い圧力を加えてまとめたトイレットペーパー。
【発明の詳細な説明】
【技術分野】
【０００１】トイレットペーパー。
【背景技術】
【０００２】トイレでロールペーパーを使う時、ホルダーの上カバーを片手で持ち上げもう一方の手でペーパーの先端を探し出しつまみ、使い易い長さ引き出し片手でカバーを押さえペーパーを持ち上げカット、それを折畳み使っていました。
【発明の開示】
【発明が解決しようとする課題】
【０００３】背景技術そのほかの短所をまとめると次の様になります。
●ペーパーをセットする時ペーパーの出る方向を確かめないと使えない。
●先端がわかりずらい。
●先端がつかみずらい。
●カバーでミシン目がわからない。
●引き出したペーパーが長かったり短かったり。
●カットする時、押さえが弱いと更に引き出してしまう。
●長く切ったペーパーを思う様に畳めない。
●ホルダー内のペーパー量がわかりずらい。
●少なくなると使いにくくなる。
【発明が解決するための手段】
【０００４】使い易い大きさのトイレットペーパーを数枚重ね、高熱や接着剤を使わないでバラバラにならない様、切断時の圧力やライン等の圧力によりまとめたトイレットペーパー
【０００５】ロールペーパー又は帯状のペーパー・大判のペーパーを数枚重ね切断時の圧力やライン等の圧力によりまとめたトイレットペーパーを使い易い寸法でカット又は、一部分をつなげて帯状に縦つづり・横つづりにしてカットして、使用時に軽い力で１つ１つ切り離して使うトイレットペーパー。
【発明の効果】
【０００６】本発明の物を１つ取り出してそのまま使用するだけです、面倒な事はなく問題もありません。
力の弱い老人・体の不自由な人・怪我人・病人・子供等にはとても使い易いトイレットペーパーです。
普通の人にはもっと使い易いトイレットペーパーのはずです。
【図面の簡単な説明】
【図１】斜面図
【図２】斜面図
【図３】斜面図
【図４】斜面図
【図５】斜面図
【図１】
2008154984.tif 000003
【図２】
2008154984.tif 000004
【図３】
2008154984.tif 000005
【図４】
2008154984.tif 000006
【図５】
2008154984.tif 000007
(57)【要約】【課題】従来の折畳み型のベンチは、筋交いを用いて立設する方式のものが一般的だが、折畳み作業が意外に手間取る、一体型に比べて重い、強度不足、着座時の安定感に欠ける、コスト高等、さまざまな欠点を有していた。本発明は、上記の諸問題点を解消し、さらに環境にやさしく、フォルムも美しい折畳みベンチを提供することを課題とする。【解決手段】着座部の底面に、左右一対の脚部の基端を回動自在に取り付け、立設時に該左右脚部が互いに垂直よりやや外に開いたハの字を形成して係止される仕組みであると共に、環境対策として座面板材にバイオマスプラスチック製押し出し成形材を採用し、安全対策として折畳み時と立設時に脚部基端の回動をロックするロック部材を備えた折畳みベンチを提供する。【選択図】図１
2008154977.tif 000002
【特許請求の範囲】
【請求項１】
着座部及び該着座部の底面に取り付けられた左右一対の脚部とからなるベンチに於いて、脚部の基端が着座部底面に回動自在に支持され、立設時に於いて左右の該脚部が互いに垂直よりやや外に開いたハの字を形成して係止されることを特徴とする折畳みベンチ
【請求項２】
着座部が着座部構造体と、該着座部構造体に装着された座面板材とからなり、該着座部構造体の底面に、軸孔及び脚部の支柱外面に当接して所定の角度で回動を止める回動当り部を有する一対の脚部支持部材を固着し、脚部基端に設けられた回動軸を該軸孔に挿通して脚部を装着することを特徴とする請求項１の折畳みベンチ
【請求項３】
該着座部構造体の底面に、脚部折畳み時及び立設時に脚部基端の回動を止めて保持するロック部材を装着したことを特徴とする請求項１及び２の折畳みベンチ
【発明の詳細な説明】
【技術分野】
【０００１】  本発明は、置き型のベンチに関し、特に収納時、移設時のコンパクト化が容易な折畳みベンチに関するものである。
【背景技術】
【０００２】  ベンチには大別して据付型、置き型があり、屋外の公共の場で広く使用されるベンチは据付型が多く、一方、屋内に於いては設置場所の変更に備え、置き型のものが多用されている。また、置き型には一体型と折畳み型があるが、移設が楽なうえ収納にも便利な折畳み型の使用が比較的少ないのが現状である。
【発明の開示】
【発明が解決しようとする課題】
【０００３】  従来の折畳み型のベンチは、筋交いを用いて立設する方式のものが一般的だが、折畳み作業が意外に手間取る、一体型に比べて重い、強度不足、着座時の安定感に欠ける、コスト高等、さまざまな欠点を有していた。本発明は、上記の諸問題点を解消し、さらに環境にやさしく、フォルムも美しい折畳みベンチを提供することを課題とする。
【課題を解決するための手段】
【０００４】    着座部の底面に、左右一対の脚部の基端を回動自在に取り付け、立設時に該左右脚部が互いに垂直よりやや外に開いたハの字を形成して係止される仕組みであると共に、環境対策として座面板材にバイオマスプラスチック製押し出し成形材を採用し、安全対策として折畳み時と立設時に脚部基端の回動をロックするロック部材を備えた折畳みベンチを提供する。
【発明の効果】
【０００５】    本発明の折畳みベンチは前述のごとく、筋交い等を用いないためデザイン的に優れると共に、折畳み、立設及びロックが楽なうえ、一体型ベンチと重量を比較しても大差なく、強度も十分であり、また着座するときハの字に開いた左右の脚部が横ユレを防ぐため抜群の安定性を得ることがでる。また、座面板材にバイオマスプラスチックを使用するため、廃棄に際して環境にやさしい製品を提供できる。
【発明を実施するための最良の形態】
【０００６】  本発明を実施するための最良の形態は、次項の実施例に示す通りである。
【実施例】
【０００７】  以下、本発明の最良の形態である実施例を図面に基づいて説明する。図１は本実施例の折畳みベンチ１の概略の構成を示す分解斜視図である。本実施例の折畳みベンチは大別して着座部２と脚部８とからなっている。【０００８】  着座部は３本のバイオマスプラスチック製の座面板材４が金属性の着座部構造体３に螺着されると共に、該着座部構造体の底面の両端近くに一対の脚部支持部材５が固着された構成である。脚部９は水平方向の基端の円柱体１０と先端の円柱体１１及び２本の支柱１２で形成された一体構造であり、該基端の円柱体１０が着座部２の奥行方向に脚部支持部材５を介してそれぞれ装着され、先端の円柱体１１が床面への接地部分となっている。【０００９】  図２は本実施例の折畳みベンチ１の立設時の全体を示す正面図であり、図３は脚部支持部材５と脚部基端の円柱体１０との装着状態を示す部分断面図である。脚部基端の円柱体１０の中心部に貫通された回動軸１３が脚部支持部材５に穿たれた軸孔７に挿通されており、該回動軸の両端に形成されたネジ部に抜け止めとして袋ナット１４が装着されている。【００１０】  脚部支持部材５には脚部９の支柱１２の外面に当接して所定の角度で回動を止める回動当り部６が形成されると共に、該回動当り部の外面には補強三角板８が設けられ、本実施例のベンチ１が立設されるとき、一対の脚部９の支柱１２は互いにやや外に開いたハの字の状態で安定的に係止されるため、着座部２に荷重が加わることによりさらに安定性を増す。また、脚部９の床面への接地部が着座部２の両端の真下近くに来るため片端に着座しても他端が持ち上がることがなく安全性も高い。【００１１】  着座部構造体３の底面にはプッシュ式のロック部材１６が螺着され、脚部基端の円柱体１０に穿たれた係止穴１５に係合している。該係止穴は該円柱体の同一外周上に２ヶ所穿たれており、それぞれ折畳み時及び立設時のロックに使用される。着座部２に荷重がかかる着座時にはロックは不要だが、安全のために、また立設の状態での移設に脚部を安定させるためロックできるようにした。【００１２】  図４は本発明の折畳みベンチ１の脚部９の折畳み状態に於ける正面図である。脚部９は脚部支持部材５の高さの内に折畳まれ収まっており、このときロック部材１６をプッシュしロック状態にしておくと、ベンチの移設のために持ち上げても脚部が自重で垂れ下がることはない。
【産業上の利用可能性】
【００１３】  本発明の折畳みベンチは、フォルムが美しく、安定性、安全性にも優れ、また、環境にやさしいバイオマスプラスチックと金属とからなり、廃棄時の分別も容易なことから、幼稚園、学校、病院その他、公共施設に最適な備品ベンチとして広く受け入れられる可能性に満ちている。
【図面の簡単な説明】
【００１４】
【図１】  本実施例の概略の構成を示す分解斜視図である。
【図２】  本実施例の立設状態を示す正面図である。
【図３】  本実施例の脚部基端の装着状態を示す部分断面図である。
【図４】  本実施例の脚部折畳み状態の正面図である。
【符号の説明】
【００１５】  １    折畳みベンチ
２    着座部
３    着座部構造体
４    座面板材
５    脚部支持部材
６    回動当り部
７    軸孔
８    脚部
９    基端の円柱体
１０    先端の円柱体
１２    支柱
１３    回動軸
１４    袋ナット
１５    係止穴
１６    ロック部材
【図１】
2008154977.tif 000003
【図２】
2008154977.tif 000004
【図３】
2008154977.tif 000005
【図４】
2008154977.tif 000006